(57)【要約】【課題】低コスト化を図った上で、商品性を向上させることができる車両用ルームライトの光源ユニットを提供する。【解決手段】ルームライトのレンズを通して車室内に光を出射する光源５１と、光源５１が実装されるとともに、ルームライトのベース部材２３に取り付けられる基板５２と、を備え、基板５２における光源５１を中心とした仮想円Ｌの周上には、ベース部材２３に設けられた突出高さの異なる複数の取付座４５，４６のうち、上側取付座４６に係合する係合部５５と、複数の取付座４５，４６のうち、下側取付座４５との干渉を回避可能な逃げ部５８と、を有していることを特徴とする。【選択図】図３
2017013698.tif 000002
【特許請求の範囲】
【請求項１】
車両用ルームライトのレンズを通して車室内に光を出射する光源と、
前記光源が実装されるとともに、前記車両用ルームライトのベース部材に取り付けられる基板と、を備え、
前記基板における前記光源を中心とした仮想円の周上には、
前記ベース部材に設けられた突出高さの異なる複数の取付座のうち、第１取付座に係合する係合部と、
前記複数の取付座のうち、前記第１取付座以外の第２取付座との干渉を回避可能な逃げ部と、を有していることを特徴とする光源ユニット。
【請求項２】
前記係合部は、前記仮想円の径方向を長軸方向とする長孔に形成されていることを特徴とする請求項１記載の光源ユニット。
【請求項３】
車両用ルームライトのレンズを通して車室内に光を出射する光源と、
前記光源が実装されるとともに、前記車両用ルームライトのベース部材に取り付けられる基板と、を備え、
前記基板における前記光源を中心とした仮想円の周上には、突出高さが異なる複数の取付座が間隔をあけて配設され、
前記取付座のうち、第１取付座は前記ベース部材に設けられた係合部に係合し、前記第１取付座以外の第２取付座は前記ベース部材に設けられた逃げ部と高さ方向で重なる位置に配置され、前記ベース部材との干渉が回避可能に構成されていることを特徴とする光源ユニット。
【請求項４】
請求項１から請求項３の何れか１項に記載の光源ユニットを備えていることを特徴とする車両用ルームライト。
【発明の詳細な説明】
【技術分野】
【０００１】
本発明は、光源ユニット及び車両用ルームライトに関するものである。
【背景技術】
【０００２】
車室内を照らすための車両用ルームライト（以下、単にルームライトという。）として、車室内の所定の照射領域のみをスポット的に照らす、いわゆるアンビエントライトが知られている（例えば、下記特許文献１参照）。この種のルームライトは、ＬＥＤ等の光源と、光源が実装される基板と、基板が固定されるベース部材と、光源から出射される光を透過させて車室内の照射領域に向けて出射するレンズと、を主に有している。
【先行技術文献】
【特許文献】
【０００３】
【特許文献１】特開２００５−７５３１６号公報
【発明の概要】
【発明が解決しようとする課題】
【０００４】
ところで、上述したルームライトでは、車種や照明色等の違いによってルームライトの設置位置や照射領域等が異なる。したがって、照射領域を確実に照らすためには、設置位置や照射領域の違いによってレンズに対する光源の相対位置等を最適化する必要がある。
【０００５】
しかしながら、レンズと光源との距離を最適化するためには、高さの異なるベース部材や厚さの異なるレンズを上述した設置位置や照射領域に応じて別途用意する必要がある。そのため、低コスト化を図った上で、商品性を向上させるためには未だ改善の余地があった。
【０００６】
本発明は、上記事情に鑑みてなされたものであり、低コスト化を図った上で、商品性を向上させることができる車両用ルームライトの光源ユニットを提供することを目的とする。
【課題を解決するための手段】
【０００７】
上記目的を達成するために、請求項１に記載した発明は、車両用ルームライト（例えば、実施形態におけるルームライト１２）のレンズ（例えば、実施形態におけるレンズ２２）を通して車室（例えば、実施形態における車室Ｃ）内に光を出射する光源（例えば、実施形態における光源５１）と、前記光源が実装されるとともに、前記車両用ルームライトのベース部材（例えば、実施形態におけるベース部材２３）に取り付けられる基板（例えば、実施形態における基板５２）と、を備え、前記基板における前記光源を中心とした仮想円（例えば、実施形態における仮想円Ｌ）の周上には、前記ベース部材に設けられた突出高さの異なる複数の取付座（例えば、実施形態における取付座４５，４６）のうち、第１取付座に係合する係合部（例えば、実施形態における係合部５５）と、前記複数の取付座のうち、前記第１取付座以外の第２取付座との干渉を回避可能な逃げ部（例えば、実施形態における逃げ部５８）と、を有していることを特徴とする。
【０００８】
請求項２に記載した発明では、前記係合部は、前記仮想円の径方向を長軸方向とする長孔に形成されていることを特徴とする。
【０００９】
請求項３に記載した発明では、レンズを通して車室内に光を出射する光源と、前記光源が実装されるとともに、ベース部材に取り付けられる基板と、を備え、前記基板における前記光源を中心とした仮想円の周上には、突出高さが異なる複数の取付座が間隔をあけて配設され、前記取付座のうち、第１取付座は前記ベース部材に設けられた係合部に係合し、前記第１取付座以外の第２取付座は前記ベース部材に設けられた逃げ部と高さ方向で重なる位置に配置され、前記ベース部材との干渉が回避可能に構成されていることを特徴とする。
【００１０】
請求項４に記載した発明では、上記本発明の光源ユニットを備えていることを特徴とする。
【発明の効果】
【００１１】
請求項１，３に記載した発明によれば、取付座のうち、係合部を係合させる取付座を選択することで、光源ユニットの変更を伴うことなく、光源ユニットのベース部材に対する取付高さを調整できる。そして、光源ユニットのベース部材に対する取付高さを調整することで、レンズに対する光源の相対位置を調整できる。これにより、車種や照明色等の違いにより車両用ルームライトの設置位置や照射領域が異なる場合であっても、光源ユニットを共用化できる。その結果、低コスト化を図った上で、商品性を向上させることができる。
【００１２】
請求項２に記載した発明によれば、係合部が仮想円の径方向を長軸方向とする長孔に形成されているため、ベース部材に対する光源ユニットの径方向の位置ずれを許容することができる。
【００１３】
請求項４に記載した発明によれば、上記本発明の光源ユニットを備えているため、車両用ルームライトの設置位置や照射領域が異なる場合であっても光源ユニット及びベース部材を共用化できる。その結果、低コスト化を図った上で、商品性を向上させることができる。
【図面の簡単な説明】
【００１４】
【図１】第１実施形態に係る車両用ルームライトを備えた車両の車室内を後方から見た斜視図である。
【図２】図１のＩＩ−ＩＩ線に相当する断面図である。
【図３】第１実施形態に係る光源ユニットがベース部材に取り付けられた状態（上側取付状態）を示す平面図である。
【図４】図３のＩＶ−ＩＶ線に相当する断面図である。
【図５】第１実施形態に係る光源ユニットがベース部材に取り付けられた状態（下側取付状態）を示す図３に相当する平面図である。
【図６】図５のＶＩ−ＶＩ線に相当する断面図である。
【図７】第２実施形態に係る光源ユニットがベース部材に取り付けられた状態（下側取付状態）を下方から見た平面図である。
【図８】第２実施形態における光源ユニットがベース部材に取り付けられた状態（下側取付状態）を下方から見た斜視図である。
【図９】第２実施形態に係る光源ユニットがベース部材に取り付けられた状態（中央取付状態）を下方から見た斜視図である。
【図１０】第２実施形態に係る光源ユニットがベース部材に取り付けられた状態（上側取付状態）を下方から見た斜視図である。
【発明を実施するための形態】
【００１５】
次に、本発明の実施形態を図面に基づいて説明する。以下の説明における前後上下左右等の向きは、特に記載が無ければ車両における向きと同一とする。また、図中矢印ＵＰは上方、矢印ＦＲは前方をそれぞれ示している。
【００１６】
（第１実施形態）
図１は第１実施形態に係る車両用ルームライト１２（以下、単にルームライト１２という。）を備えた車両１の車室Ｃ内を後方から見た斜視図である。
図１に示すように、車両１は、車室Ｃの上部を構成するルーフ２と、車室Ｃの前部を構成するインストゥルメントパネル３と、運転席４と助手席５との間に配置されるセンターコンソール６と、を備えている。
【００１７】
ルーフ２の前部において、車幅方向の中央部には、ルーフコンソール１１が配設されている。ルーフ２におけるルーフコンソール１１よりも前側に位置する部分には、ルームライト１２が配設されている。
ルーフ２の前部において、ルーフコンソール１１及びルームライト１２に対して車幅方向の両側には、サンバイザー１３が各別に配設されている。
【００１８】
センターコンソール６の前部には、シフトレバー１５が配設されている。シフトレバー１５は、センターコンソール６に形成されたガイド溝１８に沿って前後方向に傾動可能に構成されている。
【００１９】
＜ルームライト＞
図２は、図１のＩＩ−ＩＩ線に相当する断面図である。
図２に示すように、ルームライト１２は、例えばセンターコンソール６のうち、上述したシフトレバー１５を含む所定の照射範囲Ｓ（図１参照）をスポット的に照らす、いわゆるアンビエントライトである。本実施形態のルームライト１２は、ガーニッシュ２１と、レンズ２２と、ベース部材２３と、光源ユニット２４と、を有している。なお、ルームライト１２の照射範囲Ｓや設置位置は、適宜変更が可能である。
【００２０】
ガーニッシュ２１は、ルームライト１２の外観を構成する意匠部３１と、ルーフ２に取り付けられる取付部３２と、を有している。
意匠部３１は、下方に向けて凸の湾曲形状をなしている。意匠部３１は、その表面（下面）がルーフ２の表面（下面）上で露出している。意匠部３１の前部には、意匠部３１を上下方向に貫通する出射開口３３が形成されている。出射開口３３の開口縁には、上方に向けてレンズ取付筒部３５が設けられている。
取付部３２は、意匠部３１の外周部分から上方に向けて突設された筒状に形成されている。取付部３２は、ルーフ２に形成された取付開口３６内に嵌合されている。
【００２１】
レンズ２２は、光透過性を有する材料により形成されている。レンズ２２は、導光部４１と、フランジ部４２と、を有している。
導光部４１は、上下方向に沿って延びる柱状に形成されている。導光部４１の下端部（出射側端部）は、上述したレンズ取付筒部３５内の上端部に位置している。図２の例において、導光部４１の下面（出射面）は、導光部４１の延在方向（上下方向）に対して傾斜している。一方、導光部４１の上面（入射面）は、導光部４１の延在方向に対して直交している。
フランジ部４２は、導光部４１の下部において、外径が導光部４１よりも大きくなっている。フランジ部４２は、レンズ取付筒部３５の上端縁に上方から当接している。
【００２２】
ベース部材２３は、ガーニッシュ２１のうち、レンズ２２よりも上方に位置する部分に取り付けられている。ベース部材２３は、レンズ２２よりも上方でレンズ２２に対向配置されている。
【００２３】
図３は、光源ユニット２４がベース部材２３に取り付けられた状態を示す平面図である。図４は、図３のＩＶ−ＩＶ線に相当する断面図である。なお、以下の説明では、光源ユニット２４が後述する上側取付座４６に取り付けられた上側取付状態を例にして説明する。
図３、図４に示すように、ベース部材２３は、ベース本体４４と、光源ユニット２４が取り付けられる取付座４５，４６と、を有している。
ベース本体４４は、直方体形状に形成されている。ベース本体４４には、光源ユニット２４に接続される一対のバスバー４８が設けられている。各バスバー４８は、ベース本体４４を上下方向に貫通している。各バスバー４８の上端部は、ベース本体４４よりも上方において、図示しない電気配線に接続される。
【００２４】
取付座４５，４６は、下側取付座４５及び上側取付座４６を有している。
下側取付座４５は、ベース本体４４の対角のうち、一方の対角にそれぞれ形成されている。下側取付座４５は、ベース本体４４から下方に向けて突出する角柱形状に形成されている。下側取付座４５の下面には、図示しないビス孔が形成されている。なお、下側取付座４５の下面は、バスバー４８の下端よりも上方に位置している。
上側取付座４６は、ベース本体４４の対角のうち、他方の対角にそれぞれ形成されている。上側取付座４６は、下方に向けた突出高さが下側取付座４５よりも低い角柱形状に形成されている。上側取付座４６の下面には、図示しないビス孔が形成されている。
【００２５】
光源ユニット２４は、光源５１と、光源５１が実装された基板５２と、を有している。
基板５２は、上下方向から見た平面視外形がベース本体４４と同等の矩形状に形成されている。基板５２は、ベース部材２３に上下方向で重ね合わされた状態で、ベース部材２３に下方から取り付けられている。基板５２の対角のうち一方の対角は、上述した各取付座４５，４６の何れかの取付座４５，４６（図３の例では上側取付座４６）が選択的に取り付けられる係合部５５を構成している。各係合部５５は、上側取付座４６の下面に下方から当接（係合）している。係合部５５には、基板５２を上下方向に貫通する図示しない貫通孔が形成されている。貫通孔内には、ビス５７が挿通されている。ビス５７は、上側取付座４６の上述したビス孔内に螺着されている。これにより、基板５２がベース部材２３に取り付けられている。
【００２６】
基板５２の対角のうち他方の対角には、逃げ部５８が形成されている。逃げ部５８は、基板５２の他方の対角が切り欠かれて構成されている。逃げ部５８は、取付座４５，４６のうち下側取付座４５を避けている。これにより、光源ユニット２４とベース部材２３の下側取付座４５とが干渉が回避される。すなわち、逃げ部５８は、取付座４５，４６のうち、上下方向で重なり合う取付座４５，４６との干渉が回避可能に構成されている。なお、図示の例では、逃げ部５８は、その内側に下側取付座４５を収容している。
【００２７】
光源５１は、基板５２の下面において、平面方向（上下方向に直交する方向）の中央部に実装されている。この場合、光源５１における平面方向の中心は、基板５２における平面方向の中心（以下、単に基板中心Ｏという。）に一致している。なお、光源５１は、例えばＬＥＤが好適に用いられている。但し、光源５１はＬＥＤに限られない。
【００２８】
ここで、上述した係合部５５及び逃げ部５８は、上下方向から見た平面視において、光源５１の中心（基板中心Ｏ）を中心とした仮想円Ｌの周上に周方向に間隔をあけて交互に配置されている。この場合、各係合部５５同士及び逃げ部５８同士は、仮想円Ｌの径方向で対向する位置にそれぞれ配置されている。
【００２９】
基板５２には、光源５１と上述したバスバー４８とを電気的に接続する一対の配線５９が形成されている。各配線５９は、仮想円Ｌに対して径方向の内側であって、仮想円Ｌの周方向に沿って延びる円弧状に形成されている。具体的に、各配線５９は、基板５２のうち光源５１を間に挟んで対向する位置から仮想円Ｌの周方向に沿って互いに同一方向に延在している。なお、配線５９は、基板中心Ｏ周りの中心角が９０°の範囲に亘って形成されている。
【００３０】
配線５９における周方向の一端部には、基板５２を上下方向に貫通する第１スルーホール６１が形成されている。一方、配線５９における周方向の他端部には、基板５２を上下方向に貫通する第２スルーホール６２が形成されている。第２スルーホール６２内には、上述したバスバー４８が挿通されている、これにより、光源５１とバスバー４８が電気的に接続されている。
【００３１】
このように構成されたルームライト１２において、図２に示すように光源５１から出射された光は、レンズ２２の導光部４１を通ってガーニッシュ２１の出射開口３３から車室Ｃ内に出射される。これにより、図１に示すように、車室Ｃの照射領域Ｓがスポット的に照射される。
【００３２】
次に、上述したルームライト１２の組付方法を説明する。なお、以下の説明では、光源ユニット２４の組付方法について主に説明する。
本実施形態のルームライト１２は、ルームライト１２の設置位置や照射領域Ｓ等に応じて、取付座４５，４６のうち何れかの取付座４５，４６に選択的に光源ユニット２４の係合部５５を取り付ける。
【００３３】
まず、光源ユニット２４（係合部５５）を上側取付座４６に取り付ける場合について説明する。図３に示すように、光源ユニット２４を上側取付座４６に取り付ける場合には、ベース部材２３と光源ユニット２４とを上下方向で対向配置する。そして、ベース部材２３に対して光源ユニット２４を基板中心Ｏ周りに回転させ、係合部５５と上側取付座４６とが重なり合う位置（逃げ部５８と下側取付座４５とが重なり合う位置）に位置合わせする。なお、係合部５５と上側取付座４６とが重なり合う位置では、基板５２の各第２スルーホール６２と各バスバー４８とが上下方向でそれぞれ重なり合う。
【００３４】
次に、光源ユニット２４の係合部５５がベース部材２３の上側取付座４６に当接する位置まで、光源ユニット２４をベース部材２３に対して上昇させる。すると、光源ユニット２４のうち、対応する第２スルーホール６２内にバスバー４８がそれぞれ進入するとともに、対応する逃げ部５８内に下側取付座４５がそれぞれ進入する。その後、光源ユニット２４の対応する係合部５５がベース部材２３の上側取付座４６にそれぞれ当接する。
【００３５】
続いて、係合部５５の貫通孔を通して上側取付座４６のビス孔内にビス５７を螺着する。これにより、光源ユニット２４が上側取付座４６を介してベース部材２３に取り付けられた上側取付状態となる。すなわち、上側取付状態では、各取付座４５，４６のうち、上側取付座４６が本実施形態における第１取付座となり、下側取付座４５が本実施形態における第２取付座となる。
【００３６】
図５は、下側取付状態を示す図３に相当する平面図である。図６は、図５のＶＩ−ＶＩ線に相当する断面図である。
次に、図５、図６に示すように、光源ユニット２４（係合部５５）を下側取付座４５に取り付ける場合について説明する。光源ユニット２４を下側取付座４５に取り付ける場合には、まずベース部材２３に対して光源ユニット２４を基板中心Ｏ周りに回転させ、係合部５５と下側取付座４５とが重なり合う位置（逃げ部５８と上側取付座４６とが重なり合う位置）に位置合わせする。
【００３７】
次に、光源ユニット２４の係合部５５がベース部材２３の下側取付座４５に当接する位置まで、光源ユニット２４をベース部材２３に対して上昇させる。すると、光源ユニット２４のうち、対応する第１スルーホール６１内にバスバー４８が進入した後、光源ユニット２４の対応する係合部５５がベース部材２３の下側取付座４５にそれぞれ当接する。
【００３８】
続いて、係合部５５の貫通孔を通して下側取付座４５のビス孔内にビス５７を螺着する。これにより、光源ユニット２４が下側取付座４５を介してベース部材２３に取り付けられた下側取付状態となる。すなわち、下側取付状態では、各取付座４５，４６のうち、下側取付座４５が本実施形態における第１取付座となり、下側取付座４５が本実施形態における第２取付座となる。
【００３９】
このように、本実施形態の光源ユニット２４は、ベース部材２３に設けられた取付座４５，４６のうち、一方の取付座４５，４６に係合する係合部５５と、他方の取付座４５，４６を避ける逃げ部５８と、を有する構成とした。
この構成によれば、取付座４５，４６のうち、係合部５５を係合させる取付座４５，４６を選択することで、ベース部材２３や光源ユニット２４の変更を伴うことなく、光源ユニット２４のベース部材２３に対する取付高さを調整できる。そして、光源ユニット２４のベース部材２３に対する取付高さを調整することで、レンズ２２に対する光源５１の相対位置を調整できる。これにより、車種や照明色等の違いによりルームライト１２の設置位置や照射領域が異なる場合であっても、光源ユニット２４を共用化できる。その結果、低コスト化を図った上で、商品性を向上させることができる。
【００４０】
また、上側取付状態において、下側取付座４５が光源ユニット２４の逃げ部５８内に収容されるため、ベース部材２３に対する光源ユニット２４の基板中心Ｏ周りの位置決めを行うことができる。そのため、ベース部材２３に対して光源ユニット２４を安定して取り付けることができる。
【００４１】
そして、本実施形態のルームライト１２は、上述した光源ユニット２４を備えているため、ルームライト１２の設置位置や照射領域が異なる場合であっても光源ユニット２４及びベース部材２３を共用化できる。その結果、低コスト化を図った上で、商品性を向上させることができる。
【００４２】
（第２実施形態）
次に、本発明の第２実施形態について説明する。本実施形態では、ベース部材１０１に対する光源ユニット１０２の取付高さの調整を三段階で行うことができる点で、上述した第１実施形態と相違している。なお、以下の説明では、上述した第１実施形態と同様の構成については同一の符号を付して説明を省略する。
【００４３】
図７は、第２実施形態におけるベース部材１０１及び光源ユニット１０２を下方から見た平面図である。図８は、第２実施形態におけるベース部材１０１及び光源ユニット１０２を下方から見た斜視図である。なお、図８以降の図面では、上述したバスバー４８を省略している。
図７、図８に示すように、本実施形態のルームライト１００において、ベース部材１０１（ベース本体１１０）の下面には、突出高さの異なる複数の取付座（下側取付座１１１、中央取付座１１２及び上側取付座１１３）が下方に向けて突設されている。各取付座１１１〜１１３は、基板中心Ｏを中心とする中心角が９０°の範囲内において、仮想円Ｌの周上を周方向で等間隔に配設されている。各取付座１１１〜１１３それぞれは、ベース本体１１０における仮想円Ｌの径方向で対向する位置に一対ずつ配設されている。
【００４４】
下側取付座１１１は、円柱状に形成されている。具体的に、下側取付座１１１は、ベース本体１１０から下方に向けて突設された大径部１１１ａと、大径部１１１ａよりも小径とされるとともに、大径部１１１ａから下方に向けて突設された小径部１１１ｂと、を有している。
【００４５】
中央取付座１１２は、円柱状に形成されている。具体的に、中央取付座１１２は、ベース本体１１０から下方に向けて突設された大径部１１２ａと、大径部１１２ａよりも小径とされるとともに、大径部１１２ａから下方に向けて突設された小径部１１２ｂと、を有している。中央取付座１１２における小径部１１２ｂの下端面は、下側取付座１１１の小径部１１１ｂの下端面よりも上方に位置している。
【００４６】
上側取付座１１３は、円柱状に形成されている。具体的に、上側取付座１１３は、ベース本体１１０から下方に向けて突設された大径部１１３ａと、大径部１１３ａよりも小径とされるとともに、大径部１１３ａから下方に向けて突設された小径部１１３ｂと、を有している。上側取付座１１３における小径部１１３ｂの下端面は、中央取付座１１２の小径部１１２ｂの下端面よりも上方に位置している。なお、各取付座１１１〜１１３の大径部１１１ａ〜１１３ａ同士及び小径部１１１ｂ〜１１３ｂ同士は、外径がそれぞれ同等になっている。
【００４７】
光源ユニット１０２の基板１２１は、上下方向から見た平面視で円形状に形成されている。基板１２１における下面の基板中心Ｏには、光源５１が実装されている。光源５１は、一対の配線１２２を介してバスバー４８に接続されている。
【００４８】
各配線１２２は、仮想円Ｌに対して径方向の内側であって、仮想円Ｌの周方向に沿って延びる円弧状に形成されている。具体的に、各配線１２２は、基板１２１のうち光源５１を間に挟んで対向する位置から仮想円Ｌの周方向に沿って互いに同一方向に延在している。なお、配線１２２は、基板中心Ｏ周りの中心角が９０°の範囲に亘って形成されている。
【００４９】
配線１２２には、基板１２１を上下方向に貫通する複数のスルーホール１３１〜１３３が仮想円Ｌの周方向に間隔をあけて形成されている。各スルーホール１３１〜１３３は、基板中心Ｏ周りの中心角で４５°間隔で形成されている。具体的に、各スルーホール１３１〜１３３のうち第１スルーホール１３１は、配線１２２における周方向の一端部に形成されている。第２スルーホール１３２は、配線１２２における周方向の中間部分に形成されている。第３スルーホール１３３は、配線１２２における周方向の他端部に形成されている。第３スルーホール１３３内には、上述したバスバー４８が挿通されている、これにより、光源５１とバスバー４８が電気的に接続されている。
【００５０】
基板１２１の外周部分（仮想円Ｌの周上に位置する部分）には、上述した取付座１１１〜１１３の何れかに選択的に係合する一対の係合部１３５，１３６が形成されている。各係合部１３５，１３６は、基板中心Ｏを間に挟んで仮想円Ｌの径方向で対向する位置に配置されている。
【００５１】
各係合部１３５，１３６のうち、一方の係合部１３５は、上下方向から見た平面視で円形状の貫通孔とされている。係合部１３５の内径は、上述した各取付座１１１〜１１３の小径部１１１ｂ〜１１３ｂの外径以上であって、大径部１１１ａ〜１１３ａの外径未満になっている。
各係合部１３５，１３６のうち、他方の係合部１３６は、上下方向から見た平面視で仮想円Ｌの径方向を長軸方向とする長円形状の貫通孔とされている。係合部１３６における短軸方向（仮想円Ｌの接線方向）の内径は、上述した各取付座１１１〜１１３の小径部１１１ｂ〜１１３ｂの外径以上であって、大径部１１１ａ〜１１３ａの外径未満になっている。
【００５２】
各係合部１３５，１３６は、上述した下側取付座１１１に各別に係合している。具体的に、各係合部１３５，１３６内には、対応する下側取付座１１１の小径部１１１ｂが各別に挿入されている。なお、各係合部１３５，１３６が下側取付座１１１に係合した状態において、基板１２１の上面が下側取付座１１１における大径部１１１ａの下端面に当接する一方、中央取付座１１２及び上側取付座１１３と基板１２１とは干渉していない。
【００５３】
基板１２１における仮想円Ｌの周上に位置する部分には、複数の逃げ部１４１，１４２（第１逃げ部１４１及び第２逃げ部１４２）が形成されている。第１逃げ部１４１は、基板１２１のうち、上述した各係合部１３５，１３６に対して仮想円Ｌの周方向で隣接する位置に、それぞれ形成されている。各第１逃げ部１４１は、上下方向から見た平面視で円形状の貫通孔とされている。第１逃げ部１４１の内径は、各取付座１１１〜１１３の大径部１１１ａ〜１１３ａの外径よりも大きくなっている。
第２逃げ部１４２は、基板１２１のうち、第１逃げ部１４１を間に挟んで仮想円Ｌの周方向で各係合部１３５，１３６とは反対側に位置する部分にそれぞれ形成されている。各第２逃げ部１４２は、上下方向から見た平面視で円形状の貫通孔とされている。第２逃げ部１４２の内径は、第１逃げ部１４１と同様に各取付座１１１〜１１３の大径部１１１ａ〜１１３ａの外径よりも大きくなっている。なお、係合部１３５，１３６と対応する逃げ部１４１，１４２は、上述した各取付座１１１〜１１３と同様に、基板中心Ｏを中心とする中心角が９０°の範囲内において、仮想円Ｌの周上を周方向で等間隔に配設されている。
【００５４】
次に、本実施形態のルームライト１００の組付方法について説明する。
図７、図８に示すように、光源ユニット１０２を下側取付座１１１に取り付ける場合について説明する。まず、ベース部材１０１に対して光源ユニット１０２を基板中心Ｏ周りに回転させ、係合部１３５，１３６と下側取付座１１１とが上下方向で重なり合う位置に位置合わせする。
【００５５】
続いて、光源ユニット１０２をベース部材１０１に対して上昇させる。すると、光源ユニット１０２のうち、対応する第３スルーホール１３３内にバスバー４８が進入した後、係合部１３５，１３６内に下側取付座１１１の小径部１１１ｂがそれぞれ進入する。その後、基板１２１の上面が下側取付座１１１の大径部１１１ａの下端面に下方から当接する。この状態で、ベース部材１０１と光源ユニット１０２とを図示しないビス等によって固定する。これにより、光源ユニット１０２が下側取付座１１１を介してベース部材１０１に取り付けられた下側取付状態となる。すなわち、下側取付状態では、各取付座１１１〜１１３のうち、下側取付座１１１が本実施形態における第１取付座となり、中央取付座１１２及び上側取付座１１３が本実施形態における第２取付座となる。
【００５６】
図９は、中央取付状態における図８に相当する斜視図である。
次に、図９に示すように、光源ユニット１０２を中央取付座１１２に取り付ける場合について説明する。まず、ベース部材１０１に対して光源ユニット１０２を基板中心Ｏ周りに回転させ、係合部１３５，１３６と中央取付座１１２とが重なり合う位置に位置合わせする。
【００５７】
続いて、光源ユニット１０２をベース部材１０１に対して上昇させる。すると、光源ユニット１０２のうち、対応する第２スルーホール１３２内にバスバー４８が進入した後、対応する第１逃げ部１４１内に下側取付座１１１がそれぞれ進入する。続いて、光源ユニット１０２のうち、係合部１３５，１３６内に中央取付座１１２の小径部１１２ｂがそれぞれ進入した後、基板１２１の上面が中央取付座１１２の大径部１１１ａの下端面に下方から当接する。この状態で、ベース部材１０１と光源ユニット１０２とを図示しないビス等によって固定する。これにより、光源ユニット１０２が中央取付座１１２を介してベース部材１０１に取り付けられた中央取付状態となる。すなわち、中央取付状態では、各取付座１１１〜１１３のうち、中央取付座１１２が本実施形態における第１取付座となり、下側取付座１１１及び上側取付座１１３が本実施形態における第２取付座となる。
【００５８】
図１０は、上側取付状態における図８に相当する斜視図である。
次に、図１０に示すように、光源ユニット１０２を上側取付座１１３に取り付ける場合について説明する。まず、ベース部材１０１に対して光源ユニット１０２を基板中心Ｏ周りに回転させ、係合部１３５，１３６と上側取付座１１３とが重なり合う位置に位置合わせする。
【００５９】
続いて、光源ユニット１０２をベース部材１０１に対して上昇させる。すると、光源ユニット１０２のうち、対応する第１スルーホール１３１内にバスバー４８が進入した後、対応する第２逃げ部１４２内に下側取付座１１１がそれぞれ進入する。続いて、光源ユニット１０２のうち、対応する第１逃げ部１４１内に中央取付座１１２がそれぞれ進入する。その後、光源ユニット１０２のうち、係合部１３５，１３６内に上側取付座１１３の小径部１１３ｂがそれぞれ進入した後、基板１２１の上面が上側取付座１１３の大径部１１３ａに下方から当接する。この状態で、ベース部材１０１と光源ユニット１０２とを図示しないビス等によって固定する。これにより、光源ユニット１０２が上側取付座１１３を介してベース部材１０１に取り付けられた上側取付状態となる。すなわち、上側取付状態では、各取付座１１１〜１１３のうち、上側取付座１１３が本実施形態における第１取付座となり、下側取付座１１１及び中央取付座１１２が本実施形態における第２取付座となる。
【００６０】
本実施形態によれば、ベース部材１０１に対する光源ユニット１０２の取付高さを三段階に調整できるので、部品共用化に伴う更なる低コスト化及び商品性の向上を図ることができる。
また、本実施形態では、係合部１３６が仮想円Ｌの径方向を長軸方向とする長孔に形成されているため、ベース部材１０１に対する光源ユニット１０２の径方向の位置ずれを許容することができる。
【００６１】
なお、本発明の技術範囲は、上述した各実施形態に限定されるものではなく、本発明の趣旨を逸脱しない範囲において、上述した実施形態に種々の変更を加えたものを含む。すなわち、上述した実施形態で挙げた構成等はほんの一例に過ぎず、適宜変更が可能である。
例えば、上述した実施形態では、ベース部材に対する光源ユニットの取付高さを二段階又は三段階に調整可能な構成について説明したが、これに限らず、四段階以上に調整可能であっても構わない。
上述した実施形態では、光源の中心と基板中心Ｏとが一致している場合について説明したが、これに限られない。すなわち、光源の中心を中心とした仮想円Ｌの周上に係合部や逃げ部、各取付座が配置されていれば構わない。
【００６２】
また、係合部と取付座との係合方法は、適宜設計変更が可能である。
上述した実施形態では、仮想円Ｌよりも内側に配線が設けられた構成について説明したが、これに限らず、仮想円Ｌの外側に配線が設けられていても構わない。
【００６３】
上述した実施形態では、高さの異なる取付座をベース部材に配設し、取付座に係合する係合部及び取付座を避ける逃げ部を基板に形成した場合について説明したが、これに限られない。すなわち、高さの異なる取付座を基板に配設し、取付座に係合する係合部及び取付座を避ける逃げ部をベース部材に形成しても構わない。
これによっても、上述した実施形態と同様の作用効果を奏することができる。
【００６４】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００６５】
１２，１００…ルームライト（車両用ルームライト）
２２…レンズ
２３，１０１…ベース部材
２４，１０２…光源ユニット
４５，１１１…下側取付座（第１取付座、第２取付座）
４６，１１３…上側取付座（第１取付座、第２取付座）
５１，１２１…光源
５２…基板
５５，１３５，１３６…係合部
５８，１４１，１４２…逃げ部
１１２…中央取付座（第１取付座、第２取付座）
【図１】
2017013698.tif 000003
【図２】
2017013698.tif 000004
【図３】
2017013698.tif 000005
【図４】
2017013698.tif 000006
【図５】
2017013698.tif 000007
【図６】
2017013698.tif 000008
【図７】
2017013698.tif 000009
【図８】
2017013698.tif 000010
【図９】
2017013698.tif 000011
【図１０】
2017013698.tif 000012